(57)【特許請求の範囲】
【請求項１】
液晶表示装置に用いられることで、液晶表示装置の光源として使用する有機発光ダイオードを駆動して発光させる駆動回路であって、
前記駆動回路は、第１電気スイッチと、第２電気スイッチと、第３電気スイッチと、第４電気スイッチと、第５電気スイッチと、駆動電気スイッチと、キャパシタとを含み、
前記第１電気スイッチの制御端子は駆動走査線に接続されており、前記第１電気スイッチの第１端子はデータ信号を受信し、前記第１電気スイッチの第２端子は前記駆動電気スイッチの第２端子に接続されており、前記駆動電気スイッチの制御端子は前記キャパシタの第１端子に接続されており、且つ、前記駆動電気スイッチの制御端子は前記第２電気スイッチの第１端子に接続されており、前記駆動電気スイッチの第１端子は前記第２電気スイッチの第２端子に接続されており、且つ、前記駆動電気スイッチの第１端子は前記第４電気スイッチの第２端子に接続されており、前記駆動電気スイッチの第２端子は前記第３電気スイッチの第１端子に接続されており、前記第２電気スイッチの制御端子は前記駆動走査線に接続されており、前記第４電気スイッチの制御端子は第１補償走査線に接続されており、前記第４電気スイッチの第１端子は直流電圧を受け取り、前記第４電気スイッチの制御端子は前記第５電気スイッチの第２端子に接続されており、前記第３電気スイッチの第２端子は前記有機発光ダイオードのアノードに接続されており、前記第５電気スイッチの制御端子は第２補償走査線に接続されており、前記第５電気スイッチの第１端子は前記第３電気スイッチの制御端子に接続されており、前記キャパシタの第２端子は前記有機発光ダイオードのカソードに接続されており、且つ、前記キャパシタの第２端子は接地されており、そのうち、前記第２補償走査線は前記第１補償走査線の１ステージ前の補償走査線であり、前記第１補償走査線は前記駆動走査線と同一ステージの走査線であり、前記駆動走査線より出力する信号のレベルが前記第１補償走査線より出力する信号のレベルと逆になることを特徴とする駆動回路。
【請求項２】
前記駆動走査線は第ｎステージの駆動走査線であり、前記第１補償走査線は第ｎステージの補償走査線であり、前記第２補償走査線は第ｎ−１ステージの補償走査線であり、また前記駆動回路は、第ｎ−１ステージの駆動走査線と第６電気スイッチとを含み、前記第６電気スイッチの制御端子は前記第ｎ−１ステージの駆動走査線に接続されており、前記第６電気スイッチの第１端子は前記直流電圧を受け取り、前記第６電気スイッチの第２端子は前記駆動電気スイッチの制御端子に接続されており、前記第ｎ−１ステージの駆動走査線より出力する信号のレベルが、前記第２補償走査線より出力する信号のレベルと逆になることを特徴とする請求項１に記載の駆動回路。
【請求項３】
前記駆動回路は、行ドライバと列ドライバとをさらに含み、前記第１電気スイッチの第１端子は前記列ドライバに接続することで、前記列ドライバより出力されたデータ信号を受信し、前記行ドライバは、制御信号を前記第ｎ−１ステージの駆動走査線、前記第ｎ−１ステージの補償走査線、第ｎステージの駆動走査線及び第ｎステージの補償走査線に出力するのに用いられることを特徴とする請求項２に記載の駆動回路。
【請求項４】
前記第１電気スイッチ〜第６電気スイッチ、及び前記駆動電気スイッチは、いずれもｎ型電界効果トランジスタであり、前記第１電気スイッチ〜第６電気スイッチの制御端子、第１端子、第２端子、及び前記駆動電気スイッチの制御端子、第１端子、第２端子はそれぞれ、ゲート電極、ドレイン電極、ソース電極であることを特徴とする請求項２に記載の駆動回路。
【請求項５】
前記第１電気スイッチ〜第６電気スイッチ、及び前記駆動電気スイッチは、いずれもＩＧＺＯ薄膜トランジスタであることを特徴とする請求項４に記載の駆動回路。
【請求項６】
液晶表示装置の光源として使用する有機発光ダイオードと駆動回路とを含む液晶表示装置であって、
前記駆動回路は、第１電気スイッチと、第２電気スイッチと、第３電気スイッチと、第４電気スイッチと、第５電気スイッチと、駆動電気スイッチと、キャパシタとを含み、
前記第１電気スイッチの制御端子は駆動走査線に接続されており、前記第１電気スイッチの第１端子はデータ信号を受信し、前記第１電気スイッチの第２端子は前記駆動電気スイッチの第２端子に接続されており、前記駆動電気スイッチの制御端子は前記キャパシタの第１端子に接続されており、且つ、前記駆動電気スイッチの制御端子は前記第２電気スイッチの第１端子に接続されており、前記駆動電気スイッチの第１端子は前記第２電気スイッチの第２端子に接続されており、且つ、前記駆動電気スイッチの第１端子は前記第４電気スイッチの第２端子に接続されており、前記駆動電気スイッチの第２端子は前記第３電気スイッチの第１端子に接続されており、前記第２電気スイッチの制御端子は前記駆動走査線に接続されており、前記第４電気スイッチの制御端子は第１補償走査線に接続されており、前記第４電気スイッチの第１端子は直流電圧を受け取り、前記第４電気スイッチの制御端子は前記第５電気スイッチの第２端子に接続されており、前記第３電気スイッチの第２端子は前記有機発光ダイオードのアノードに接続されており、前記第５電気スイッチの制御端子は第２補償走査線に接続されており、前記第５電気スイッチの第１端子は前記第３電気スイッチの制御端子に接続されており、前記キャパシタの第２端子は前記有機発光ダイオードのカソードに接続されており、且つ、前記キャパシタの第２端子は接地されており、そのうち、前記第２補償走査線は前記第１補償走査線の１ステージ前の補償走査線であり、前記第１補償走査線は前記駆動走査線と同一ステージの走査線であり、前記駆動走査線より出力する信号のレベルが、前記第１補償走査線より出力する信号のレベルと逆になることを特徴とする液晶表示装置。
【請求項７】
前記駆動走査線は第ｎステージの駆動走査線であり、前記第１補償走査線は第ｎステージの補償走査線であり、前記第２補償走査線は第ｎ−１ステージの補償走査線であり、また前記駆動回路は、第ｎ−１ステージの駆動走査線と第６電気スイッチとを含み、前記第６電気スイッチの制御端子は前記第ｎ−１ステージの駆動走査線に接続されており、前記第６電気スイッチの第１端子は前記直流電圧を受け取り、前記第６電気スイッチの第２端子は前記駆動電気スイッチの制御端子に接続されており、前記第ｎ−１ステージの駆動走査線より出力する信号のレベルが、前記第２補償走査線より出力する信号のレベルと逆になることを特徴とする請求項６に記載の液晶表示装置。
【請求項８】
前記駆動回路は、行ドライバと列ドライバとをさらに含み、前記第１電気スイッチの第１端子は前記列ドライバに接続することで、前記列ドライバより出力されたデータ信号を受信し、前記行ドライバは、制御信号を前記第ｎ−１ステージの駆動走査線、前記第ｎ−１ステージの補償走査線、第ｎステージの駆動走査線及び第ｎステージの補償走査線に出力するのに用いられることを特徴とする請求項７に記載の液晶表示装置。
【請求項９】
前記第１電気スイッチ〜第６電気スイッチ、及び前記駆動電気スイッチは、いずれもｎ型電界効果トランジスタであり、前記第１電気スイッチ〜第６電気スイッチの制御端子、第１端子、第２端子、及び前記駆動電気スイッチの制御端子、第１端子、第２端子はそれぞれ、ゲート電極、ドレイン電極、ソース電極であることを特徴とする請求項７に記載の液晶表示装置。
【請求項１０】
前記第１電気スイッチ〜第６電気スイッチ、及び前記駆動電気スイッチは、いずれもＩＧＺＯ薄膜トランジスタであることを特徴とする請求項９に記載の液晶表示装置。
【発明の詳細な説明】
【技術分野】
【０００１】
本発明は、２０１７年３月３１日に提出された発明の名称が「駆動回路及び液晶表示装置」という出願番号２０１７１０２０９６５７．２の先行出願に基づく優先権を主張し、且つ、上記先行出願の内容を導入するように本明細書に組み込まれる。
【０００２】
本発明は表示の技術分野に関するものであり、特に駆動回路及び液晶表示装置に関する。
【背景技術】
【０００３】
従来の有機発光ダイオードの駆動回路は、２つの薄膜トランジスタと１つの蓄積キャパシタとから構成されている。これらのうち、一方の薄膜トランジスタはスイッチング薄膜トランジスタであり、他方の薄膜トランジスタは駆動薄膜トランジスタである。長時間駆動した後に、長時間の電圧印加により前記駆動用薄膜トランジスタの閾値電圧がドリフトしてしまう。駆動薄膜トランジスタの閾値電圧が変化すると、必然的に駆動薄膜トランジスタの出力電流に変化をもたらす。駆動薄膜トランジスタは前記有機発光ダイオードに接続されており、それによって、有機発光ダイオードを駆動して発光させるため、駆動薄膜トランジスタから出力される電流が変化すると、必然的に有機発光ダイオードの輝度に変化がもたらされ、したがって、有機発光ダイオードの正常な表示に影響を及ぼす。
【発明の概要】
【発明が解決しようとする課題】
【０００４】
本発明の目的は、有機発光ダイオードの輝度を一定にすることで、液晶表示装置の正常な表示を維持する駆動回路を提供することにある。
【０００５】
本発明の他の目的は、液晶表示装置を提供することにある。
【課題を解決するための手段】
【０００６】
上述の技術課題を解決するために、本発明の実施例は以下の技術案を提供する。
【０００７】
本発明は、液晶表示装置に用いられることで、液晶表示装置の光源として使用する有機発光ダイオードを駆動して発光させる駆動回路を提供している。前記駆動回路は、第１電気スイッチと、第２電気スイッチと、第３電気スイッチと、第４電気スイッチと、第５電気スイッチと、駆動電気スイッチと、キャパシタとを含み、前記第１電気スイッチの制御端子は駆動走査線に接続されており、前記第１電気スイッチの第１端子はデータ信号を受信し、前記第１電気スイッチの第２端子は前記駆動電気スイッチの第２端子に接続されており、前記駆動電気スイッチの制御端子は前記キャパシタの第１端子に接続されており、且つ、前記駆動電気スイッチの制御端子は前記第２電気スイッチの第１端子に接続されており、前記駆動電気スイッチの第１端子は前記第２電気スイッチの第２端子に接続されており、且つ、前記駆動電気スイッチの第１端子は前記第４電気スイッチの第２端子に接続されており、前記駆動電気スイッチの第２端子は前記第３電気スイッチの第１端子に接続されており、前記第２電気スイッチの制御端子は前記駆動走査線に接続されており、前記第４電気スイッチの制御端子は第１補償走査線に接続されており、前記第４電気スイッチの第１端子は直流電圧を受け取り、前記第４電気スイッチの制御端子は前記第５電気スイッチの第２端子に接続されており、前記第３電気スイッチの第２端子は前記有機発光ダイオードのアノードに接続されており、前記第５電気スイッチの制御端子は第２補償走査線に接続されており、前記第５電気スイッチの第１端子は前記第３電気スイッチの制御端子に接続されており、前記キャパシタの第２端子は前記有機発光ダイオードのカソードに接続されており、且つ、前記キャパシタの第２端子は接地されており、そのうち、前記第２補償走査線は前記第１補償走査線の１ステージ前の補償走査線であり、前記第１補償走査線は前記駆動走査線と同一ステージの走査線であり、前記駆動走査線より出力する信号のレベルが、前記第１補償走査線より出力する信号のレベルと逆になる。
【０００８】
その中で、前記駆動走査線は第ｎステージの駆動走査線であり、前記第１補償走査線は第ｎステージの補償走査線であり、前記第２補償走査線は第ｎ−１ステージの補償走査線であり、また前記駆動回路は、第ｎ−１ステージの駆動走査線と第６電気スイッチとを含み、前記第６電気スイッチの制御端子は第ｎ−１ステージの駆動走査線に接続されており、前記第６電気スイッチの第１の端子は前記直流電圧を受け取り、前記第６電気スイッチの第２端子は前記駆動電気スイッチの制御端子に接続されており、前記第ｎ−１ステージの駆動走査線より出力する信号のレベルが、前記第２補償走査線より出力する信号のレベルと逆になる。
【０００９】
その中で、前記駆動回路は、行ドライバと列ドライバとをさらに含み、前記第１電気スイッチの第１端子は前記列ドライバに接続することで、前記列ドライバより出力されたデータ信号を受信しており、前記行ドライバは、制御信号を前記第ｎ−１ステージの駆動走査線、前記第ｎ−１ステージの補償走査線、第ｎステージの駆動走査線及び第ｎステージの補償走査線に出力するのに用いられる。
【００１０】
その中で、前記第１電気スイッチ〜第６電気スイッチ、及び前記駆動電気スイッチは、いずれもｎ型電界効果トランジスタであり、前記第１電気スイッチ〜第６電気スイッチの制御端子、第１端子、第２端子、及び前記駆動電気スイッチの制御端子、第１端子、第２端子はそれぞれ、ゲート電極、ドレイン電極、ソース電極である。
【００１１】
その中で、前記第１電気スイッチ〜第６電気スイッチ、及び前記駆動電気スイッチは、いずれもＩＧＺＯ薄膜トランジスタである。
【００１２】
また本発明は、液晶表示装置を提供している。前記液晶表示装置は、液晶表示装置の光源として使用する有機発光ダイオードと駆動回路とを含み、前記駆動回路は、第１電気スイッチと、第２電気スイッチと、第３電気スイッチと、第４電気スイッチと、第５電気スイッチと、駆動電気スイッチと、キャパシタとを含み、前記第１電気スイッチの制御端子は駆動走査線に接続されており、前記第１電気スイッチの第１端子はデータ信号を受信し、前記第１電気スイッチの第２端子は前記駆動電気スイッチの第２端子に接続されており、前記駆動電気スイッチの制御端子は前記キャパシタの第１端子に接続されており、且つ、前記駆動電気スイッチの制御端子は前記第２電気スイッチの第１端子に接続されており、前記駆動電気スイッチの第１端子は前記第２電気スイッチの第２端子に接続されており、且つ、前記駆動電気スイッチの第１端子は前記第４電気スイッチの第２端子に接続されており、前記駆動電気スイッチの第２端子は前記第３電気スイッチの第１端子に接続されており、前記第２電気スイッチの制御端子は前記駆動走査線に接続されており、前記第４電気スイッチの制御端子は第１補償走査線に接続されており、前記第４電気スイッチの第１端子は直流電圧を受け取り、前記第４電気スイッチの制御端子は前記第５電気スイッチの第２端子に接続されており、前記第３電気スイッチの第２端子は前記有機発光ダイオードのアノードに接続されており、前記第５電気スイッチの制御端子は第２補償走査線に接続されており、前記第５電気スイッチの第１端子は前記第３電気スイッチの制御端子に接続されており、前記キャパシタの第２端子は前記有機発光ダイオードのカソードに接続されており、且つ、前記キャパシタの第２端子は接地されており、そのうち、前記第２補償走査線は前記第１補償走査線の１ステージ前の補償走査線であり、前記第１補償走査線は前記駆動走査線と同一ステージの走査線であり、前記駆動走査線より出力する信号のレベルが前記第１補償走査線より出力する信号のレベルと逆になる。
【００１３】
その中で、前記駆動走査線は第ｎステージの駆動走査線であり、前記第１補償走査線は第ｎステージの補償走査線であり、前記第２補償走査線は第ｎ−１ステージの補償走査線であり、また前記駆動回路は、第ｎ−１ステージの駆動走査線と第６電気スイッチとを含み、前記第６電気スイッチの制御端子は第ｎ−１ステージの駆動走査線に接続されており、前記第６電気スイッチの第１端子は前記直流電圧を受け取り、前記第６電気スイッチの第２端子は前記駆動電気スイッチの制御端子に接続されており、前記第ｎ−１ステージの駆動走査線より出力する信号のレベルが、前記第２補償走査線より出力する信号のレベルと逆になる。
【００１４】
その中で、前記駆動回路は、行ドライバと列ドライバとをさらに含み、前記第１電気スイッチの第１端子は前記列ドライバに接続することで、前記列ドライバより出力されたデータ信号を受信し、前記行ドライバは、制御信号を前記第ｎ−１ステージの駆動走査線、前記第ｎ−１ステージの補償走査線、第ｎステージの駆動走査線及び第ｎステージの補償走査線に出力するのに用いられる。
【００１５】
その中で、前記第１電気スイッチ〜第５電気スイッチ、及び前記駆動電気スイッチは、いずれもｎ型電界効果トランジスタであり、前記第１電気スイッチ〜第６電気スイッチの制御端子、第１端子、第２端子、及び前記駆動電気スイッチの制御端子、第１端子、第２端子はそれぞれ、ゲート電極、ドレイン電極、ソース電極である。
【００１６】
その中で、前記第１電気スイッチ〜第６電気スイッチ、及び前記駆動電気スイッチは、いずれもＩＧＺＯ薄膜トランジスタである。
【発明の効果】
【００１７】
本発明の実施例は、以下の利点または有益な効果を有する。
【００１８】
本発明の駆動回路は、液晶表示装置に用いられることで、液晶表示装置の光源として使用する有機発光ダイオードを駆動して発光させる。前記駆動回路は、第１電気スイッチと、第２電気スイッチと、第３電気スイッチと、第４電気スイッチと、第５電気スイッチと、駆動電気スイッチと、キャパシタとを含み、前記第１電気スイッチの制御端子は駆動走査線に接続されており、前記第１電気スイッチの第１端子はデータ信号を受信し、前記第１電気スイッチの第２端子は前記駆動電気スイッチの第２端子に接続されており、前記駆動電気スイッチの制御端子は前記キャパシタの第１端子に接続されており、且つ、前記駆動電気スイッチの制御端子は前記第２電気スイッチの第１端子に接続されており、前記駆動電気スイッチの第１端子は前記第２電気スイッチの第２端子に接続されており、且つ、前記駆動電気スイッチの第１端子は前記第４電気スイッチの第２端子に接続されており、前記駆動電気スイッチの第２端子は前記第３電気スイッチの第１端子に接続されており、前記第２電気スイッチの制御端子は前記駆動走査線に接続されており、前記第４電気スイッチの制御端子は第１補償走査線に接続されており、前記第４電気スイッチの第１端子は直流電圧を受け取り、前記第４電気スイッチの制御端子は前記第５電気スイッチの第２端子に接続されており、前記第３電気スイッチの第２端子は前記有機発光ダイオードのアノードに接続されており、前記第５電気スイッチの制御端子は第２補償走査線に接続されており、前記第５電気スイッチの第１端子は前記第３電気スイッチの制御端子に接続されており、前記キャパシタの第２端子は前記有機発光ダイオードのカソードに接続されており、且つ、前記キャパシタの第２端子は接地されており、そのうち、前記第２補償走査線は前記第１補償走査線の１ステージ前の補償走査線であり、前記第１補償走査線は前記駆動走査線と同一ステージの走査線であり、前記駆動走査線より出力する信号のレベルが前記第１補償走査線より出力する信号のレベルと逆になる。駆動走査線及び第１補償走査線が高電位にあり、補償走査線より低レベルが出力される際に、前記第１電気スイッチ、前記第２電気スイッチ、前記第５電気スイッチ及び駆動電気スイッチがオンにされることで、前記駆動電気スイッチが常時オンにある状態を維持させる。駆動時には、第１補償走査線と第２補償走査線は高レベルであり、前記第３電気スイッチ、前記第４電気スイッチ及び前記第５電気スイッチはオンになり、第ｎステージの駆動走査線及び第ｎ−１ステージの駆動走査線が低レベルになって、前記第１電気スイッチ、第２電気スイッチがオフになるため、前記駆動電気スイッチの電流はデータ信号及び直流電圧と関連することになり、したがって、駆動電気スイッチの電流は常に一定で、有機発光ダイオードの輝度は一定となるため、液晶表示装置の正常な表示を維持できる。
【図面の簡単な説明】
【００１９】
本発明の実施例における技術案をより明確に説明するために、以下に本発明の実施例又は従来技術の説明中に必要な使用図面を簡単に説明する。下記に説明する図面が、本発明の単なる一部の実施例であることは明らかであり、当業者にとっては、創造的な労力を注ぐことなく、これらの図面に基づいて、その他の図面を得ることができる。
【図１】本発明の第一案の実施例により提供している駆動回路の回路図である；
【図２】図１の駆動回路の回路信号シーケンス図である；
【図３】本発明の第二案の実施例により提供している液晶表示装置のブロック図である。
【発明を実施するための形態】
【００２０】
以下、本発明の実施例中の図面を参照して、本発明の実施例における技術案を明確かつ完全に説明する。説明している実施例が、本発明の単なる一部の実施例であることは明らかであり、全部の実施例ではない。当業者にとって、本発明における実施例に基づいて、創造的な労力を注ぐことなく得られた他のすべての実施例は、いずれも本発明の保護する範囲に属する。
【００２１】
また、以下の各実施例の説明は添付の図面を参照しており、発明の実施に用いる特定の実施例を例示的に示すものである。本発明で言及されている方向を示す用語として、例えば、「上」、「下」、「前」、「後」、「左」、「右」、「内」、「外」、「側面」等があるが、これらは単に添付の図面中の方向を参照するためのものである。そのため、用いられている方向を示す用語は、より明確な本発明の説明及び理解のための用語であるが、言及された装置または構成要素が特定の方位を有しなければならず、特定の方位で構成および操作されなければならないことを明示または暗示するのではなく、本発明を限定するものに理解されない。
【００２２】
なお、本発明の説明において、「取付」、「連接」、「接続」という用語は、他に明確に規定および限定されていない限り、広く理解されるべきである。例えば、固定的な接続でも、取外し可能な接続でもよく、また一体的な接続；機械的な接続；直接的な連接でもよく、中間媒体を介して間接的に接続してもよく、又は、二つの素子の内部を連通してもよい。当業者にとって、具体的な場面によっては上記用語を本発明における具体的な意味として理解してもよい。
【００２３】
また、本発明の説明において、特に断りのない限り、「複数」は２つ以上を意味する。本明細書中に「工程」という用語が現れた場合、それは独立した工程を意味するだけでなく、該工程で予期された機能が実現され得る限り、他の工程と明確に区別することができない工程をも含む。なお、本明細書において「〜」を用いて表される数値範囲とは、「〜」の前後に記載される数値を、それぞれ最小値および最大値として含んでいる範囲である。図面において、類似または同一の構造は、同一の符号で示されている。
【００２４】
図１を参照すると、本発明の第一案の第一実施例は、駆動回路１００を提供する。前記駆動回路１００は液晶表示装置中に用いることで、液晶表示装置の光源として使用する有機発光ダイオードを駆動して発光させる。前記駆動回路１００は、第１電気スイッチＱ１と、第２電気スイッチＱ２と、第３電気スイッチＱ３と、第４電気スイッチＱ４と、第５電気スイッチＱ５と、駆動電気スイッチＱＴと、キャパシタＣとを含む。前記第１電気スイッチＱ１の制御端子は駆動走査線Ｇ（ｎ）に接続されており、前記第１電気スイッチＱ１の第１端子はデータ信号を受信し、前記第１電気スイッチＱ１の第２端子は前記駆動電気スイッチＱＴの第２端子に接続されており、前記駆動電気スイッチＱＴの制御端子は前記キャパシタＣの第１端子に接続されており、且つ、前記駆動電気スイッチＱＴの制御端子は前記第２電気スイッチＱ２の第１端子に接続されており、前記駆動電気スイッチＱＴの第１端子は前記第２電気スイッチＱ２の第２端子に接続されており、且つ、前記駆動電気スイッチＱＴの第１端子は前記第４電気スイッチＱ４の第２端子に接続されており、前記駆動電気スイッチＱＴの第２端子は前記第３電気スイッチＱ３の第１端子に接続されており、前記第２電気スイッチＱ２の制御端子は前記駆動走査線Ｇａｔｅ（ｎ）に接続されており、前記第４電気スイッチＱ４の制御端子は第１補償走査線ＸＧａｔｅ（ｎ）に接続されており、前記第４電気スイッチＱ４の第１端子は直流電圧ＶＤＤを受け取り、前記第４電気スイッチＱ４の制御端子は前記第５電気スイッチＱ５の第２端子に接続されており、前記第３電気スイッチＱ３の第２端子は前記有機発光ダイオードのアノードに接続されており、前記第５電気スイッチＱ５の制御端子は第２補償走査線ＸＧａｔｅ（ｎ−１）に接続されており、前記第５電気スイッチＱ５の第１端子は前記第３電気スイッチＱ３の制御端子に接続されており、前記キャパシタＣの第２端子は前記有機発光ダイオードのカソードに接続されており、且つ、前記キャパシタＣの第２端子は接地されている。ここで、前記第２補償走査線ＸＧａｔｅ（ｎ−１）は、前記第１補償走査線ＸＧａｔｅ（ｎ）の１ステージ前の補償走査線であり、前記第１補償走査線ＸＧａｔｅ（ｎ）は、前記駆動走査線Ｇａｔｅ（ｎ）と同一ステージの走査線であり、前記駆動走査線Ｇａｔｅ（ｎ）より出力する信号のレベルと、前記第１補償走査線ＸＧａｔｅ（ｎ）より出力する信号のレベルは逆になる。
【００２５】
本実施例において、前記第１電気スイッチＱ１〜第５電気スイッチＱ５及び前記駆動電気スイッチＱＴは、いずれもＩＧＺＯ（indium gallium zinc oxide、インジウムガリウム亜鉛酸化物）薄膜トランジスタである。前記第１電気スイッチ〜第５電気スイッチ及び前記駆動電気スイッチは、いずれもｎ型電界効果トランジスタであり、前記第１電気スイッチ〜第５電気スイッチ及び前記駆動電気スイッチの制御端子、第１端子、第２端子はそれぞれ、ゲート電極、ドレイン電極、ソース電極である。その他の実施例において、前記第１電気スイッチＱ１〜第５電気スイッチＱ５及び前記駆動電気スイッチＱＴは、実際の必要性によって、その他の材質の薄膜トランジスタに調整してもよい。前記第１電気スイッチＱ１〜第５電気スイッチＱ５及び前記駆動電気スイッチＱＴは、実際の必要性によって、その他の型の薄膜トランジスタに調整してもよい。
【００２６】
引き続き、図２を参照すると、駆動走査線Ｇａｔｅ（ｎ）、第２補償走査線ＸＧａｔｅ（ｎ−１）が高電位にある際に、前記第２電気スイッチＱ２、前記駆動電気スイッチＱＴ、前記第１電気スイッチＱ１及び前記第５電気スイッチＱ５がオンにされる。前記駆動電気スイッチＱＴの第１端子が前記駆動電気スイッチＱＴの制御端子と短絡することで、ダイオードが形成される。同時に、データ信号Ｖｄａｔａが前記駆動電気スイッチＱＴの第２端子に書き込まれる。前記駆動電気スイッチＱＴの第１端子の電圧はＶｄａｔａ＋Ｖｔｈであり、ここで、Ｖｔｈは駆動電気スイッチＱＴの閾値電圧である。そして、前記駆動用電気スイッチＱＴの制御端子が前記駆動用電気スイッチＱＴの第１端子と短絡されているため、前記駆動用電気スイッチＱＴの制御端子の電圧はＶｄａｔａ＋Ｖｔｈとなり、すなわち前記駆動用電気スイッチＱＴの閾値電圧Ｖｔｈと入力するデータ信号Ｖｄａｔａが、前記駆動用電気スイッチＱＴの一側の一端にあるキャパシタＣに記憶される。第１補償走査線ＸＧａｔｅ（ｎ）及び１ステージ前の駆動走査線Ｇａｔｅ（ｎ−１）は低レベルであるので、前記第３電気スイッチＱ３及び前記第４電気スイッチＱ４はオフになり、前記駆動電気スイッチＱＴが常時オンの状態にあるという状況に影響を及ぼさない。駆動時には、前記第１補償走査線ＸＧａｔｅ（ｎ）及び前記第２補償走査線ＸＧａｔｅ（ｎ−１）が高レベルにあって、前記第３電気スイッチＱ３、前記第４電気スイッチＱ４、前記第５電気スイッチＱ５はオンになり、前記第ｎステージの駆動走査線Ｇａｔｅ（ｎ）及び第ｎ−１ステージの駆動走査線Ｇａｔｅ（ｎ−１）が低レベルにあって、第１電気スイッチＱ１及び第２電気スイッチＱ２はオフになり、前記駆動電気スイッチＱＴがオンにされる。前記駆動電気スイッチＱＴの電流公式によれば、
【００２７】
【数１】
0006922145.tif 000002
【００２８】
である。ここで、Ｖｇは前記駆動電気スイッチＱＴのゲート電極の電圧である；Ｖｓは前記駆動電気スイッチＱＴのソース電極の電圧である；Ｖｇｓは前記駆動電気スイッチＱＴのゲート電極とソース電極との間の電圧である。前記第３電気スイッチＱ３及び前記第４電気スイッチＱ４がオンになるため、前記駆動電気スイッチＱＴのソース電圧Ｖｓは前記直流電圧に等しい。したがって、
【００２９】
【数２】
0006922145.tif 000003
【００３０】
であり、ＶＤＤは前記直流電圧である。前記データ信号Ｖｄａｔａ及び前記直流電圧ＶＤＤはいずれも固定値であるため、前記駆動電気スイッチＱＴの電流Ｉｄｓは不変で固定されており、前記有機発光ダイオードの輝度は一定となるため、前記駆動回路１００を適用した液晶表示装置は正常に表示することができる。
【００３１】
また、前記駆動走査線Ｇａｔｅ（ｎ）は第ｎステージの駆動走査線であり、前記第１補償走査線ＸＧａｔｅ（ｎ）は第ｎステージの補償走査線であり、前記第２補償走査線ＸＧａｔｅ（ｎ−１）は第ｎ−１ステージの補償走査線である。また、前記駆動回路１００はさらに、第ｎ−１ステージの駆動走査線Ｇａｔｅ（ｎ−１）と第６電気スイッチＱ６とを含み、前記第６電気スイッチＱ６の制御端子は前記第ｎ−１ステージの駆動走査線Ｇａｔｅ（ｎ−１）に接続されており、前記第６電気スイッチＱ６の第１端子は前記直流電圧ＶＤＤを受け取り、前記第６電気スイッチＱ６の第２端子は前記駆動電気スイッチＱＴの制御端子に接続されており、第ｎ−１ステージの駆動走査線より出力する信号のレベルは、前記第２補償走査線より出力する信号のレベルと逆になる。
【００３２】
ここで注目すべきは、ドライバが第ｎ−１ステージの駆動走査線Ｇａｔｅ（ｎ−１）と第１補償走査線ＸＧａｔｅ（ｎ）を制御して高電位にある際に、前記第６電気スイッチＱ６、前記駆動電気スイッチＱＴ及び前記第４電気スイッチＱ４がオンになる。そのとき、第ｎステージ駆動走査線Ｇａｔｅ（ｎ）と第２補償走査線ＸＧａｔｅ（ｎ−１）は低電位になり、前記第１電気スイッチＱ１〜第３電気スイッチＱ３及び第５電気スイッチＱ５はオフになる。前記駆動電気スイッチＱＴの制御端子は、前記直流電圧ＶＤＤに接続され、駆動電気スイッチＱＴの初期化を完了することによって、残留電荷を除去させる。
【００３３】
さらに、前記駆動回路１００は、行ドライバと列ドライバとを含む。前記第１電気スイッチＱ１の第１端子は前記列ドライバに接続することで、前記列ドライバより出力されたデータ信号ＶＤＤを受信し、前記行ドライバは、前記第ｎ−１ステージの駆動走査線Ｇａｔｅ（ｎ−１）、第ｎステージの駆動走査線Ｇａｔｅ（ｎ）、第１補償走査線ＸＧａｔｅ（ｎ）、第２補償走査線ＸＧａｔｅ（ｎ−１）に制御信号を出力するのに用いられる。
【００３４】
図３を参照すると、本発明の第二案の実施例は液晶表示装置３００を提供する。前記液晶表示装置３００は、有機発光ダイオード３１０と、駆動回路とを含む。前記駆動回路は、前記有機発光ダイオード３１０を駆動して発光させることに用いられる。本実施例において、前記駆動回路は、上記第一案における駆動回路１００とすることができる。上記第一案には、駆動回路１００を詳細に説明しているので、ここでは説明しない。
【００３５】
本実施例中において、前記液晶表示装置３００は駆動回路１００を含む。前記駆動回路１００は、第１電気スイッチＱ１と、第２電気スイッチＱ２と、第３電気スイッチＱ３と、第４電気スイッチＱ４と、第５電気スイッチＱ５と、駆動電気スイッチＱＴと、キャパシタＣとを含む。前記第１電気スイッチＱ１の制御端子は、駆動走査線Ｇ（ｎ）に接続されており、前記第１電気スイッチＱ１の第１端子はデータ信号を受信し、前記第１電気スイッチＱ１の第２端子は前記駆動電気スイッチＱＴの第２端子に接続されており、前記駆動電気スイッチＱＴの制御端子は前記キャパシタＣの第１端子に接続されており、且つ、前記駆動電気スイッチＱＴの制御端子は前記第２電気スイッチＱ２の第１端子に接続されており、前記駆動電気スイッチＱＴの第１端子は前記第２電気スイッチＱ２の第２端子に接続されており、且つ、前記駆動電気スイッチＱＴの第１端子は前記第４電気スイッチＱ４の第２端子に接続されており、前記駆動電気スイッチＱＴの第２端子は前記第３電気スイッチＱ３の第１端子に接続されており、前記第２電気スイッチＱ２の制御端子は前記駆動走査線Ｇａｔｅ（ｎ）に接続されており、前記第４電気スイッチＱ４の制御端子は第１補償走査線ＸＧａｔｅ（ｎ）に接続されており、前記第４電気スイッチＱ４の第１端子は直流電圧ＶＤＤを受け取り、前記第４電気スイッチＱ４の制御端子は前記第５電気スイッチＱ５の第２端子に接続されており、前記第３電気スイッチＱ３の第２端子は前記有機発光ダイオードのアノードに接続されており、前記第５電気スイッチＱ５の制御端子は第２補償走査線ＸＧａｔｅ（ｎ−１）に接続されており、前記第５電気スイッチＱ５の第１端子は前記第３電気スイッチＱ３の制御端子に接続されており、前記キャパシタＣの第２端子は前記有機発光ダイオードのカソードに接続されており、且つ、前記キャパシタＣの第２端子は接地されている。ここで、前記第２補償走査線ＸＧａｔｅ（ｎ−１）は、前記第１補償走査線ＸＧａｔｅ（ｎ）の１ステージ前の補償走査線であり、前記第１補償走査線ＸＧａｔｅ（ｎ）は、前記駆動走査線Ｇａｔｅ（ｎ）と同一ステージの走査線であり、前記駆動走査線Ｇａｔｅ（ｎ）より出力する信号のレベルと、前記第１補償走査線ＸＧａｔｅ（ｎ）より出力する信号のレベルは逆になる。駆動走査線Ｇａｔｅ（ｎ）、第２補償走査線ＸＧａｔｅ（ｎ−１）が高電位にある際に、前記第２電気スイッチＱ２、前記駆動電気スイッチＱＴ、前記第１電気スイッチＱ１及び前記第５電気スイッチＱ５がオンにされる。前記駆動電気スイッチＱＴの第１端子が前記駆動電気スイッチＱＴの制御端子と短絡することで、ダイオードが形成される。同時に、データ信号Ｖｄａｔａが前記駆動電気スイッチＱＴの第２端子に書き込まれる。前記駆動電気スイッチＱＴの第１端子の電圧はＶｄａｔａ＋Ｖｔｈであり、ここで、Ｖｔｈは駆動電気スイッチＱＴの閾値電圧である。そして、前記駆動用電気スイッチＱＴの制御端子が前記駆動用電気スイッチＱＴの第１端子と短絡されているため、前記駆動用電気スイッチＱＴの制御端子の電圧はＶｄａｔａ＋Ｖｔｈとなり、すなわち前記駆動用電気スイッチＱＴの閾値電圧Ｖｔｈと入力するデータ信号Ｖｄａｔａが、前記駆動用電気スイッチＱＴの一側の一端にあるキャパシタＣに記憶される。第１補償走査線ＸＧａｔｅ（ｎ）及び１ステージ前の駆動走査線Ｇａｔｅ（ｎ−１）は低レベルであるので、前記第３電気スイッチＱ３及び前記第４電気スイッチＱ４はオフになり、前記駆動電気スイッチＱＴが常時オンの状態にあるという状況に影響を及ぼさない。駆動時には、前記第１補償走査線ＸＧａｔｅ（ｎ）と前記第２補償走査線ＸＧａｔｅ（ｎ−１）が高レベルにあって、前記第３電気スイッチＱ３、前記第４電気スイッチＱ４、前記第５電気スイッチＱ５はオンになり、前記第ｎステージの駆動走査線Ｇａｔｅ（ｎ）及び第ｎ−１ステージの駆動走査線Ｇａｔｅ（ｎ−１）が低レベルにあって、第１電気スイッチＱ１及び第２電気スイッチＱ２はオフになり、前記駆動電気スイッチＱＴがオンにされる。前記駆動電気スイッチＱＴの電流公式によれば、
【００３６】
【数３】
0006922145.tif 000004
【００３７】
である。ここで、Ｖｇは前記駆動電気スイッチＱＴのゲート電極の電圧である；Ｖｓは前記駆動電気スイッチＱＴのソース電極の電圧である；Ｖｇｓは前記駆動電気スイッチＱＴのゲート電極と前記駆動電気スイッチＱＴのソース電極との間の電圧である。第３電気スイッチＱ３及び第４電気スイッチＱ４がオンになるので、前記駆動電気スイッチＱＴのソース電圧Ｖｓは前記直流電圧に等しい。したがって、
【００３８】
【数４】
0006922145.tif 000005
【００３９】
であり、ＶＤＤは前記直流電圧である。前記データ信号Ｖｄａｔａ及び前記直流電圧ＶＤＤは、いずれも固定値であるため、前記駆動電気スイッチＱＴの電流Ｉｄｓは不変で固定されており、前記有機発光ダイオードの輝度は一定となるため、前記駆動回路１００を適用した液晶表示装置は正常に表示することができる。
【００４０】
本明細書の説明において、「一つの実施例」、「いくつかの実施例」、「例示」、「具体的な例示」、または「いくつかの例示」などの用語を参照した説明は、該実施例または例示を参照して説明する具体的な特徴、構造、材料または特性が、本発明の少なくとも１つの実施例または例示に含まれることを意味する。本明細書において、上記の用語に対する例示的な表現は、必ずしも同じ実施例または例示を意味するものではない。さらに、説明された具体的な特徴、構造、材料、または特性は、任意の１つまたは複数の実施例または例示において、好適な方法を以って組み合わせることができる。
【００４１】
上述の実施形態は、該技術案の保護範囲に対する限定を構成しない。上述の実施形態の精神及び原理の範囲内で行われる修正、同等の置換及び改善などは、すべて該技術案の権利範囲に含まれる。
【図１】
0006922145.tif 000006
【図２】
0006922145.tif 000007
【図３】
0006922145.tif 000008